(57)【要約】本発明は、繊維反応性染料の分野に関する。繊維反応性染料のブラック染色性混合物は、米国特許第５，４４５，６５４号、同第５，６１１，８２１号、および韓国特許出願公報第９４−２５６０号により、公知である。ディープブラック染料は、例えば、特開昭第５８−１６０３６２号において公知であり、これは、ネービーブルー色のジスアゾ染料とオレンジ色のモノアゾ染料をベースにしている。しかしながら、これらの染料混合物にはいくつかの欠陥がある。本発明では、たとえば洗濯堅牢性などの面で、改良された性質を有するディープブラック染色性の染料混合物が予想外に見出されたが、これは、一般式（１）で表されるジスアゾ染料と、【化１】2004517190.tif 000063一般式（２）で表される１種または複数のジスアゾ染料とを含む。【化２】2004517190.tif 000064
2004517190.tif 000002
【特許請求の範囲】
【請求項１】
ディープブラック染色性の染料混合物であって、一般式（１）で表されるジスアゾ染料と、
【化１】
2004517190.tif 000043
一般式（２）で表される１種または複数のジスアゾ染料とを含み、
【化２】
2004517190.tif 000044
ここでアミド基は、ヒドロキシル基に対して６、７または８位にあり、ここで：Ｍは、水素または、たとえばリチウム、ナトリウムおよびカリウムのようなアルカリ金属であり；
ｎはそれぞれの場合で独立して、０または１であり；
Ｒ１は水素、メチル、メトキシ、スルホ、シアノまたはクロロであり；
Ｒ２、Ｒ３、Ｒ４、Ｒ５、Ｒ６は、Ｒ１が意味するものの１つであり；
Ｒ１１は水素またはアルキルまたはフェニルであり、それらは、アルキル、アルコキシ、エステル、ウレイド、カルボキサミド、ヒドロキシ、クロロ、シアノまたはスルホ基でモノ置換またはジ置換されていてもよく；
Ｌ１は式（５ａ〜ｄ）の繊維反応性基であり：
【化３】
2004517190.tif 000045
ここで、
Ｒ１２は、Ｒ１１が意味するものの１つであり；
Ｙはそれぞれの場合で、互いに独立して、ビニルまたは、アルカリを作用させることによって脱離してビニル基を形成することができる、たとえば、塩素、チオスルファト、スルファト、炭素原子数２〜５のアルカノイルオキシたとえばアセチルオキシ、ホスファト、スルホベンゾイルオキシおよびｐ−トルイルスルホニルオキシなどの置換基でβ−位を置換されたエチルであり；
＊−は芳香環への結合を表し；
Ｘはクロロまたはフルオロを表し、
Ｚは、Ｘが意味するものの１つであるか、または、水素もしくはシアノであり；Ｑは、クロロ、フルオロ、シアナミド、ヒドロキシ、炭素原子数１〜４のアルコキシ、ピリジノ、カルボキシピリジノ、カルバモイルピリジノ、一般式Ｗの基、または、一般式（６ａ）もしくは（６ｂ）の基であり、
【化４】
2004517190.tif 000046
ここで、
Ｒ１３は、水素、炭素原子数１〜４のアルキル、炭素原子数１〜４のアルコキシ、炭素原子数１〜４のスルホアルキル、非置換のフェニルまたは、塩素、臭素、メチル、エチル、メトキシ、スルホ、アセトアミド、ウレイドおよびカルボキシからなる置換基の群より選択される１つまたは２つの置換基により置換されたフェニルであり；
Ｒ１４は、Ｒ１３が意味するものの１つであり；
Ｒ１５は、Ｒ１３が意味するものの１つであるか；または
Ｒ１３とＲ１４が、一般式（６ｃ）または（６ｄ）の環系を形成し、
【化５】
2004517190.tif 000047
ここで、
Ｒ０は、たとえばＯ、Ｓ、ＳＯ２もしくはＮＲ１２のようなヘテロ基、またはメチレン基であり；
Ｇは、アリーレン、アルキレンまたはアルキレン−アリーレンであり、それぞれは置換されていなくても置換されていてもよく、ここで、アルキレン部分は炭素原子数１〜６のもの、たとえば、メチレン、エチレンおよびｎ−プロピレンであるか、または、Ｏ、Ｓ、ＮＨ、ＳＯ２、ＣＯ、ＣＯ−ＮＨ、ＮＨ−ＣＯのようなヘテロ基が途中に入るのならば炭素原子数２〜６のものであり、アリーレンはフェニレンまたはナフチレンであり、フェニレンの置換基は、メチルおよびエチルのような炭素原子数１〜４のアルキル、メトキシおよびエトキシのような炭素原子数１〜４のアルコキシ、カルボキシ、スルホおよび塩素からなる群より選択される１つまたは２つの置換基であり；
Ｌ２、Ｌ３は、Ｌ１が意味するものの１つであり；
Ｗは、一般式（３）のフェニル基または一般式（４）のナフチル基であり、
【化６】
2004517190.tif 000048
ここで、
Ｍは、先に定義した通りであり；
＊は、ジアゾ基への結合を表し；
Ｒ７、Ｒ８、Ｒ９、Ｒ１０は、Ｒ１が意味するものの１つであり；
ｎは、それぞれの場合で独立して、０または１であり；
Ｌ４、Ｌ５は、Ｌ１が意味するものの１つである、染料混合物。
【請求項２】
前記混合物中に式（１）の染料が４０から９５重量％までの量で存在し、前記混合物中に式（２）の染料が１から６０重量％までの量で存在している、ディープ（ｄｅｅｐ）ブラック染色性の染料混合物。
【請求項３】
式（１）、（２）、（７）、および（８）の染料を含む染料混合物を１００重量％とした計算で、式（７）のモノアゾ染料を全量で０．５から６．０重量％含み、式（８）のモノアゾ染料を全量で０．５から６．０重量％含む、請求項１に記載の染料混合物。
【化７】
2004517190.tif 000049
【請求項４】
色調成分として、式（Ｉ）、（ＩＩ）または（ＩＩＩ）のようなレッド色の反応性染料を含む、請求項１〜３のいずれか一項に記載の染料混合物。
【化８】
2004517190.tif 000050
【請求項５】
一般式（２−１）のジスアゾ染料であって、
【化９】
2004517190.tif 000051
ここで、
Ｍは、水素またはアルカリ金属であり；
Ｒ５、Ｒ６は、水素、メチル、メトキシ、スルホ、シアノまたはクロロであり；
Ｒ１１は、水素またはアルキルまたはフェニルであり、それらは、アルキル、アルコキシ、エステル、ウレイド、カルボキサミド、ヒドロキシ、クロロ、シアノまたはスルホ基でモノ置換またはジ置換されていてもよく；
Ｌ３は、式（５ａ〜ｄ）の繊維反応性基であり：
【化１０】
2004517190.tif 000052
ここで、
Ｒ１２は、Ｒ１１が意味するものの１つであり；
Ｙはそれぞれの場合で、互いに独立して、ビニルまたは、アルカリを作用させることによって脱離してビニル基を形成することができる、たとえば、塩素、チオスルファト、スルファト、炭素原子数２〜５のアルカノイルオキシたとえばアセチルオキシ、ホスファト、スルホベンゾイルオキシおよびｐ−トルイルスルホニルオキシなどの置換基でβ−位を置換されたエチルであり；
＊−は、芳香環への結合を表し；
Ｘは、クロロまたはフルオロを表し、
Ｚは、Ｘが意味するものの１つであるか、または、水素もしくはシアノであり；Ｑは、クロロ、フルオロ、シアナミド、ヒドロキシ、炭素原子数１〜４のアルコキシ、ピリジノ、カルボキシピリジノ、カルバモイルピリジノ、一般式Ｗの基、または、一般式（６ａ）もしくは（６ｂ）の基であり、
【化１１】
2004517190.tif 000053
ここで、
Ｒ１３は、水素、炭素原子数１〜４のアルキル、炭素原子数１〜４のアルコキシ、炭素原子数１〜４のスルホアルキル、非置換のフェニルまたは、塩素、臭素、メチル、エチル、メトキシ、スルホ、アセトアミド、ウレイドおよびカルボキシからなる置換基の群より選択される１つまたは２つの置換基により置換されたフェニルであり；
Ｒ１４は、Ｒ１３が意味するものの１つであり；
Ｒ１５は、Ｒ１３が意味するものの１つであるか；または
Ｒ１３とＲ１４が、一般式（６ｃ）または（６ｄ）の環系を形成し、
【化１２】
2004517190.tif 000054
ここで、
Ｒ０は、たとえばＯ、Ｓ、ＳＯ２もしくはＮＲ１２のようなヘテロ基、またはメチレン基であり；
Ｇは、アリーレン、Ｃ１〜Ｃ６アルキレンまたはアルキレン−アリーレンであり、それぞれは置換されていなくても置換されていてもよく、または、Ｏ、Ｓ、ＮＨ、ＳＯ２、ＣＯ、ＣＯ−ＮＨ、ＮＨ−ＣＯのようなヘテロ基が途中に入るのならば炭素原子数２〜６のものであり、アリーレンはフェニレンまたはナフチレンであり、フェニレンの置換基は、メチルおよびエチルのような炭素原子数１〜４のアルキル、メトキシおよびエトキシのような炭素原子数１〜４のアルコキシ、カルボキシ、スルホおよび塩素からなる群より選択され；
Ｗ１は、一般式（３）のフェニル基または一般式（４）のナフチル基であり、
【化１３】
2004517190.tif 000055
ここで、
Ｍは、先に定義した通りであり；
＊は、ジアゾ基への結合を表し；
Ｒ７、Ｒ８、Ｒ９、Ｒ１０は、水素、メチル、メトキシ、スルホ、シアノまたはクロロであり；
ｎは、それぞれの場合で独立して、０または１であり；
Ｌ４、Ｌ５は、Ｌ３が意味するものの１つである、ジスアゾ染料。
【請求項６】
一般式（２−１）のジスアゾ染料を調製するためのプロセスであって、次式の構造を有する芳香族アミンをジアゾ化させ、
Ｗ１−ＮＨ２
（ここでＷ１は先に定義した通りである）、得られたジアゾ化合物を次式のナフチルアミンとカップリングさせ、
【化１４】
2004517190.tif 000056
（ここで、Ｍ、Ｒ１１およびｎは先に定義した通りである）、次いでその中間体をアセトアセチル化し、第２のジアゾ化合物と１，３−ジケト部分でカップリングさせることによる、プロセス。
【請求項７】
一般式（２−２）のジスアゾ染料であって、
【化１５】
2004517190.tif 000057
ここで、
Ｍは、水素またはアルカリ金属であり；
Ｒ５、Ｒ６は、水素、メチル、メトキシ、スルホ、シアノまたはクロロであり；
Ｒ１１は、水素またはアルキルまたはフェニルであり、それらは、アルキル、アルコキシ、エステル、ウレイド、カルボキサミド、ヒドロキシ、クロロ、シアノまたはスルホ基でモノ置換またはジ置換されていてもよく；
Ｌ３は、式（５ａ〜ｄ）の繊維反応性基であり：
【化１６】
2004517190.tif 000058
ここで、
Ｒ１２は、Ｒ１１が意味するものの１つであり；
Ｙはそれぞれの場合で、互いに独立して、ビニルまたは、アルカリを作用させることによって脱離してビニル基を形成することができる、たとえば、塩素、チオスルファト、スルファト、炭素原子数２〜５のアルカノイルオキシたとえばアセチルオキシ、ホスファト、スルホベンゾイルオキシおよびｐ−トルイルスルホニルオキシなどの置換基でβ−位を置換されたエチルであり；
＊−は、芳香環への結合を表し；
Ｘは、クロロまたはフルオロを表し、
Ｚは、Ｘが意味するものの１つであるか、または、水素もしくはシアノであり；Ｑは、クロロ、フルオロ、シアナミド、ヒドロキシ、炭素原子数１〜４のアルコキシ、ピリジノ、カルボキシピリジノ、カルバモイルピリジノ、一般式Ｗの基、または、一般式（６ａ）もしくは（６ｂ）の基であり、
【化１７】
2004517190.tif 000059
ここで、
Ｒ１３は、水素、炭素原子数１〜４のアルキル、炭素原子数１〜４のアルコキシ、炭素原子数１〜４のスルホアルキル、非置換のフェニルまたは、塩素、臭素、メチル、エチル、メトキシ、スルホ、アセトアミド、ウレイドおよびカルボキシからなる置換基の群より選択される１つまたは２つの置換基により置換されたフェニルであり；
Ｒ１４は、Ｒ１３が意味するものの１つであり；
Ｒ１５は、Ｒ１３が意味するものの１つであるか；または
Ｒ１３とＲ１４が、一般式（６ｃ）または（６ｄ）の環系を形成し、
【化１８】
2004517190.tif 000060
ここで、
Ｒ０は、たとえばＯ、Ｓ、ＳＯ２もしくはＮＲ１２のようなヘテロ基、またはメチレン基であり；
Ｇは、アリーレン、Ｃ１〜Ｃ６アルキレンまたはアルキレン−アリーレンであり、それぞれは置換されていなくても置換されていてもよく、または、Ｏ、Ｓ、ＮＨ、ＳＯ２、ＣＯ、ＣＯ−ＮＨ、ＮＨ−ＣＯのようなヘテロ基が途中に入るのならば炭素原子数２〜６のものであり、アリーレンはフェニレンまたはナフチレンであり、フェニレンの置換基は、メチルおよびエチルのような炭素原子数１〜４のアルキル、メトキシおよびエトキシのような炭素原子数１〜４のアルコキシ、カルボキシ、スルホおよび塩素からなる群より選択され；
Ｗ２は、一般式（３’）のフェニル基または一般式（４’）のナフチル基であり、
【化１９】
2004517190.tif 000061
ここで、
Ｍは、先に定義した通りであり；
＊は、ジアゾ基への結合を表し；
Ｒ７’、Ｒ８’は、水素、メトキシ、メチルであり；
Ｒ９’、Ｒ１０’は、水素、メチル、メトキシ、スルホ、シアノであり；
ｎは、それぞれの場合で独立して、０または１であり；
Ｌ４、Ｌ５は、Ｌ３が意味するものの１つである、一般式（２−２）のジスアゾ染料。
【請求項８】
一般式（２−２）のジスアゾ染料を調製するためのプロセスであって、次式の構造を有する芳香族アミンをジアゾ化させ、
Ｗ２−ＮＨ２
（ここでＷ２は先に定義した通りである）、得られたジアゾ化合物を次式のナフチルアミンとカップリングさせ、
【化２０】
2004517190.tif 000062
（ここで、Ｍ、Ｒ１１およびｎは先に定義した通りである）、次いでその中間体をアセトアセチル化し、第２のジアゾと１，３ジケト部分でカップリングさせることによる、プロセス。
【請求項９】
前記個々の染料を所望の割合で機械的に混合することを含む、請求項１〜４のいずれか一項に記載の染料混合物を調製するためのプロセス。
【請求項１０】
請求項１に記載の前記染料混合物を調製するためのプロセスであって、アニリン誘導体を強酸媒体の中で常法にしたがってジアゾ化させ、次いで、前記生成したジアゾ成分を１−アミノ−８−ナフトール−３，６−ジスルホン酸とｐＨ１．５未満でカップリング反応を実施し、上記のように調製したジアゾ化合物をモノアゾ染料生成物と第２のカップリング反応により式（１）で表されるジスアゾ染料を形成し、この反応をｐＨが３から６．５の間で実施し、アセトアセチル化ナフチルアミンの水溶液をカップリング反応に添加することによって式（２）で表される染料を形成し、この反応をｐＨが３から６．５の間で実施し、次いで溶液から常法にしたがって染料混合物を単離する、プロセス。
【請求項１１】
ヒドロキシルおよび／またはカルボキサミド含有繊維材料を染色するプロセスであって、染料を材料に適用し、その染料を加熱手段、アルカリの使用、または加熱手段とアルカリの使用の両方を用いて材料に固定し、その際に請求項１に記載の混合染料を含むプロセス。
【発明の詳細な説明】
【０００１】
本発明は、繊維反応性染料に関する。
【０００２】
繊維反応性染料のブラック色の染色性混合物は、米国特許第５，４４５，６５４号、同第５，６１１，８２１号、それに、韓国特許出願公報第９４−２５６０号により、公知である。ディープブラック色の染料混合物は、たとえば、特開昭第５８−１６０３６２号において公知で、これは、ネービーブルー色のジスアゾ染料とオレンジ色のモノアゾ染料をベースにしている。しかしながら、これらの染料混合物にはいくつかの欠陥がある。
【０００３】
本発明では、予想外のことに、たとえば洗濯堅牢性などの面で、改良された性質を有するディープブラック染色性の染料混合物が見出されたが、このものは、一般式（１）で表されるジスアゾ染料と、
【化２１】
2004517190.tif 000003
一般式（２）で表される１種または複数のジスアゾ染料とを含み、
【化２２】
2004517190.tif 000004
ここで、
Ｍは、水素または、たとえばリチウム、ナトリウムおよびカリウムのようなアルカリ金属であり；
ｎは、それぞれの場合で独立して、０または１であり；
Ｒ１は、水素、メチル、メトキシ、スルホ、シアノまたはクロロであるが、好ましくは水素であり；
Ｒ２、Ｒ３、Ｒ４、Ｒ５、Ｒ６は、Ｒ１が意味するものの１つであり；
Ｒ１１は、水素またはアルキルまたはフェニルであり、それらは、アルキル、アルコキシ、エステル、ウレイド、カルボキサミド、ヒドロキシ、クロロ、シアノまたはスルホ基でモノ置換またはジ置換されていてもよく；
Ｌ１は、式（５ａ〜ｄ）の繊維反応性基であり：
【化２３】
2004517190.tif 000005
ここで、
Ｒ１２は、Ｒ１１が意味するものの１つであり；
Ｙはそれぞれの場合で、互いに独立して、ビニルまたは、アルカリを作用させることによって脱離してビニル基を形成することができる、たとえば、塩素、チオスルファト、スルファト、炭素原子数２〜５のアルカノイルオキシたとえばアセチルオキシ、ホスファト、スルホベンゾイルオキシおよびｐ−トルイルスルホニルオキシなどの置換基でβ−位を置換されたエチルであり、好ましくは、ビニル、β−クロロエチル、β−チオスルファトエチルまたはβ−スルファトエチルであり、特に好ましくはビニルまたはβ−スルファトエチルであり；
＊−は、芳香環への結合を表し；
Ｘは、クロロまたはフルオロを表し、
Ｚは、Ｘが意味するものの１つであるか、または、水素もしくはシアノであり；Ｑは、クロロ、フルオロ、シアナミド、ヒドロキシ、炭素原子数１〜４のアルコキシ、ピリジノ、カルボキシピリジノ、カルバモイルピリジノ、一般式Ｗの基、または、一般式（６ａ）もしくは（６ｂ）の基であり、
【化２４】
2004517190.tif 000006
ここで、
Ｒ１３は、水素、炭素原子数１〜４のアルキル、炭素原子数１〜４のアルコキシ、炭素原子数１〜４のスルホアルキル、非置換のフェニルまたは、塩素、臭素、メチル、エチル、メトキシ、スルホ、アセトアミド、ウレイドおよびカルボキシからなる置換基の群より選択される１つまたは２つの置換基により置換されたフェニルであり；
Ｒ１４は、Ｒ１３が意味するものの１つであり；
Ｒ１５は、Ｒ１３が意味するものの１つであるか；または
Ｒ１３とＲ１４が、一般式（６ｃ）または（６ｄ）の環系を形成し、
【化２５】
2004517190.tif 000007
ここで、
Ｒ０は、たとえばＯ、Ｓ、ＳＯ２もしくはＮＲ１２のようなヘテロ基、またはメチレン基であり；
Ｇは、アリーレン、Ｃ１〜Ｃ６アルキレンまたはアルキレン−アリーレンであり、それぞれは置換されていなくても置換されていてもよく、ここで、アルキレン部分は好ましくは炭素原子数１〜６のものであり、より好ましくは炭素原子数１〜４のものであり、特に好ましくは炭素原子数１〜３のもの、たとえば、メチレン、エチレンおよびｎ−プロピレンであるか、または、Ｏ、Ｓ、ＮＨ、ＳＯ２、ＣＯ、ＣＯ−ＮＨ、ＮＨ−ＣＯのようなヘテロ基が途中に入るのならば好ましくは炭素原子数２〜６のものであり、アリーレンはフェニレンまたはナフチレンであり、フェニレンの置換基は、メチルおよびエチルのような炭素原子数１〜４のアルキル、メトキシおよびエトキシのような炭素原子数１〜４のアルコキシ、カルボキシ、スルホおよび塩素からなる群より選択される１つまたは２つの置換基、特にメチル、エチル、メトキシおよびエトキシ置換基であるのが好ましく、ナフチレンの置換基は１つまたは２つのスルホ基であるのが好ましく；
Ｌ２、Ｌ３は、Ｌ１が意味するものの１つであり；
Ｗは、一般式（３）のフェニル基または一般式（４）のナフチル基であり、
【化２６】
2004517190.tif 000008
ここで、
Ｍは、先に定義した通りであり；
＊は、ジアゾ基への結合を表し；
Ｒ７、Ｒ８、Ｒ９、Ｒ１０は、Ｒ１が意味するものの１つであり；
ｎは、それぞれの場合で独立して、０または１であり；Ｌ４、Ｌ５は、Ｌ１が意味するものの１つである。
【０００４】
好適な染料混合物は、染料混合物の重量を基準にして、１種または複数の一般式（１）のジスアゾ染料を４０〜９５重量％、１種または複数の一般式（２）のジスアゾ染料を１〜６０重量％の量で含むものである。特に好適な染料混合物は、染料混合物の重量を基準にして、１種または複数の一般式（１）のジスアゾ染料を６０〜８０重量％、１種または複数の一般式（２）のジスアゾ染料を２０〜４０重量％の量で含むものである。
【０００５】
「スルホ」、「チオスルファト」、「カルボキシ」、「ホスファト」および「スルファト」の基には、酸の形とこれらの基の塩の形のいずれをも含む。したがって、スルホ基は式−ＳＯ３Ｍの基、チオスルファト基は式−Ｓ−ＳＯ３Ｍの基、カルボキシ基は式−ＣＯＯＭの基、ホスファト基は式−ＯＰＯ３Ｍ２の基、および、スルファト基は−ＯＳＯ３Ｍの基であって、ここでＭは、先に定義した通りである。
【０００６】
本発明による染料混合物には、一般式（７）または（８）の１種または複数のモノアゾ染料を５重量％までの量で含んでいてもよい：
【化２７】
2004517190.tif 000009
ここで、Ｍ、Ｒ３、Ｒ４およびＬ２は、先に定義した通りである。
【０００７】
さらにこの染料混合物には、市販されているレッド反応性染料を約１５重量％までの量で含んでいてもよい。これらの色調（ｓｈａｄｉｎｇ）成分は、文献でも公知であり、標準的な方法で合成することができる。これらは一般に、色調成分として添加される。それらの例を特に挙げれば、式（Ｉ）、（ＩＩ）または（ＩＩＩ）のものがある。
【化２８】
2004517190.tif 000010
ここで、
Ｘ、Ｍ、Ｑ、Ｒ３、Ｒ４、Ｌ２、ｎは、先に記載した通りである。
【０００８】
一般式（１）、（２）、（７）、（８）、（Ｉ）、（ＩＩ）の染料は、特に同一の一般式に属するものが同一の発色団を有している場合には、Ｙが意味する範囲内において、構造的に異なった繊維反応性基−ＳＯ２−Ｙを有することができる。特に、染料混合物には、繊維反応性基の−ＳＯ２−Ｙが、一部分はビニルスルホニル基であり、一部分では、Ｙが先に定義したようなβ−エチル置換基、たとえば、β−クロロエチルスルホニル、β−チオスルファトエチルスルホニルまたは、好ましくはβ−スルファトエチルスルホニル基であるような、式（１）で表される同一の発色団の染料と、式（２）で表される同一の発色団の染料と、任意成分として一般式（７）および（８）の染料を含むことができる。染料混合物がビニルスルホニル染料の形で個々の染料成分を含むとすると、個々のビニルスルホニル染料の、Ｙが上に定義したβ−エチル置換基を有する個々の染料たとえばβ−クロロ−またはβ−チオスルファト−またはβ−スルファトエチル−スルホニル染料に対する比率は、個々の染料発色団を基準にして約３０モル％までとする。ビニルスルホニル染料の、前記のβ−エチル置換染料たとえばβ−スルファトエチルスルホニル染料に対する割合が、モル比で表して、５：９５から３０：７０であるような染料混合物が、ここでは好ましい。
【０００９】
本発明の染料混合物は、固体または液体（溶解させた）形態の調製物として存在させることが可能である。固体形態の場合には一般に、水溶性染料特に繊維反応性染料の場合に慣用されるような電解質塩たとえば、塩化ナトリウム、塩化カリウムおよび硫酸ナトリウムなど、および、市販されている染料で通常用いられる助剤、たとえば、水溶液のｐＨを３から７の間に保つことができる緩衝物質、たとえば酢酸ナトリウム、ホウ酸ナトリウム、重炭酸ナトリウム、クエン酸ナトリウム、リン酸二水素ナトリウムおよびリン酸水素二ナトリウムなど、少量の乾燥剤、または、液状の水溶液中に存在するのならば（捺染糊で慣用されるタイプの増粘剤が含まれる）、これらの調製物を長持ちさせるための、たとえば防黴剤などが、それらの染料混合物には含まれる。
【００１０】
染料混合物が染料粉末の形態の場合には、一般的には、染料粉末または調製物を基準にして、１０〜６０重量％の力価標準化した（ｓｔｒｅｎｇｔｈ−ｓｔａｎｄａｒｄｉｚｉｎｇ）無色稀釈電解質塩、たとえば上に述べたようなもの、が染料混合物に含まれる。これらの染料粉末にはさらに、染料粉末を基準にして全量で１０％までの上記の緩衝物質を含んでいてもよい。本発明の染料混合物が、水溶液の形態で存在する場合には、これらの水溶液中の全染料含量は、約７５重量％までであり、これらの水溶液中の電解質塩含量は水溶液（液状調製物）を基準にして好ましくは１０重量％未満であって、それらには上記の緩衝物質を１０重量％まで、好ましくは５重量％までの量で含むことができる。
【００１１】
一般式２のジスアゾ染料は、アミド基がヒドロキシル基に対して６位にあり、−ＳＯ３Ｍ基がヒドロキシル基に対して５位にあるような一般式（２−１）で表されるものであるか、
【化２９】
2004517190.tif 000011
ヒドロキシル基に対してアミド基が７位にあり、−ＳＯ３Ｍ基が６位にあるような一般式（２−２）で表されるものならば、新規なものであるが、
【化３０】
2004517190.tif 000012
ここで、
Ｍは、水素または、たとえばリチウム、ナトリウムおよびカリウムのようなアルカリ金属であり；
Ｒ５、Ｒ６は、水素、メチル、メトキシ、スルホ、シアノまたはクロロであるが、好ましくは水素であり；
Ｒ１１は、水素またはアルキルまたはフェニルであり、それらは、アルキル、アルコキシ、エステル、ウレイド、カルボキサミド、ヒドロキシ、クロロ、シアノまたはスルホ基でモノ置換またはジ置換されていてもよく；
Ｌ３は、式（５ａ〜ｄ）の繊維反応性基であり：
【化３１】
2004517190.tif 000013
ここで、
Ｒ１２は、Ｒ１１が意味するものの１つであり；
Ｙはそれぞれの場合で、互いに独立して、ビニルまたは、アルカリを作用させることによって脱離してビニル基を形成することができる、たとえば、塩素、チオスルファト、スルファト、炭素原子数２〜５のアルカノイルオキシたとえばアセチルオキシ、ホスファト、スルホベンゾイルオキシおよびｐ−トルイルスルホニルオキシなどの置換基でβ−位を置換されたエチルであるが、好ましくは、ビニル、β−クロロエチル、β−チオスルファトエチルまたはβ−スルファトエチルであり、特に好ましくはビニルまたはβ−スルファトエチルであり；
＊−は、芳香環への結合を表し；
Ｘは、クロロまたはフルオロを表し、
Ｚは、Ｘが意味するものの１つであるか、または、水素もしくはシアノであり；Ｑは、クロロ、フルオロ、シアナミド、ヒドロキシ、炭素原子数１〜４のアルコキシ、ピリジノ、カルボキシピリジノ、カルバモイルピリジノ、一般式Ｗの基、または、一般式（６ａ）もしくは（６ｂ）の基であり、
【化３２】
2004517190.tif 000014
ここで、
Ｒ１３は、水素、炭素原子数１〜４のアルキル、炭素原子数１〜４のアルコキシ、炭素原子数１〜４のスルホアルキル、非置換のフェニルまたは、塩素、臭素、メチル、エチル、メトキシ、スルホ、アセトアミド、ウレイドおよびカルボキシからなる置換基の群より選択される１つまたは２つの置換基により置換されたフェニルであり；
Ｒ１４は、Ｒ１３が意味するものの１つであり；
Ｒ１５は、Ｒ１３が意味するものの１つであるか；または
Ｒ１３とＲ１４が、一般式（６ｃ）または（６ｄ）の環系を形成し、
【化３３】
2004517190.tif 000015
ここで、
Ｒ０は、たとえばＯ、Ｓ、ＳＯ２もしくはＮＲ１２のようなヘテロ基、またはメチレン基であり；
Ｇは、アリーレン、Ｃ１〜Ｃ６アルキレンまたはアルキレン−アリーレンであり、それぞれは置換されていなくても置換されていてもよく、ここで、アルキレン部分は好ましくは炭素原子数１〜６のものであり、より好ましくは炭素原子数１〜４のものであり、特に好ましくは炭素原子数１〜３のもの、たとえば、メチレン、エチレンおよびｎ−プロピレンであるか、または、Ｏ、Ｓ、ＮＨ、ＳＯ２、ＣＯ、ＣＯ−ＮＨ、ＮＨ−ＣＯのようなヘテロ基が途中に入るのならば好ましくは炭素原子数２〜６のものであり、アリーレンはフェニレンまたはナフチレンであり、フェニレンの置換基は、メチルおよびエチルのような炭素原子数１〜４のアルキル、メトキシおよびエトキシのような炭素原子数１〜４のアルコキシ、カルボキシ、スルホおよび塩素からなる群より選択される１つまたは２つの置換基、特にメチル、エチル、メトキシおよびエトキシ置換基であるのが好ましく、ナフチレンの置換基は１つまたは２つのスルホ基であるのが好ましく；
Ｗ１は、一般式（３）のフェニル基または一般式（４）のナフチル基であり、
【化３４】
2004517190.tif 000016
ここで、
Ｍは、先に定義した通りであり；
＊は、ジアゾ基への結合を表し；
Ｒ７、Ｒ８、Ｒ９、Ｒ１０は、水素、メチル、メトキシ、スルホ、シアノまたはクロロであり；
ｎは、それぞれの場合で独立して、０または１であり；
Ｌ４、Ｌ５は、Ｌ３が意味するものの１つである。
【００１２】
Ｗ２は、一般式（３’）のフェニル基または一般式（４’）のナフチル基であり、
【化３５】
2004517190.tif 000017
ここで、
Ｍは、先に定義した通りであり；
＊は、ジアゾ基への結合を表し；
Ｒ７’、Ｒ８’は、水素、メトキシ、メチルであり；
Ｒ９’、Ｒ１０’は、水素、メチル、メトキシ、スルホ、シアノであり；
ｎは、それぞれの場合で独立して、０または１であり；
Ｌ４、Ｌ５は、Ｌ３が意味するものの１つであり、
したがって、本発明の一部である。
【００１３】
本発明の染料混合物は、従来の方法により得ることができるが、たとえば、それぞれの染料を所望の割合で機械的に混合してもよいし、当業者に公知の方法で必要な割合のジアゾおよびカップリング成分の適当な混合物を使用して慣用のジアゾ化およびカップリング反応を用いて合成してもよい。１つの例を挙げれば、カップリング成分としての１−アミノ−８−ナフトール−３，６−ジスルホン酸および、たとえば１−ヒドロキシ−３，５−ジスルホ−６−Ｎ−（１’，３’−ジケトブチル）−ナフチルアミン、およびジアゾ成分としての、式（９）のアニリン化合物の水性懸濁液を調製する。
【化３６】
2004517190.tif 000018
【００１４】
そこで、以下のようにして染料混合物を製造することができる。すなわち、４−（β−スルファトエチルスルホニル）−アニリン（９）を強酸媒体の中で常法にしたがってジアゾ化させ、次いで、そのジアゾ成分を１−アミノ−８−ナフトール−３，６−ジスルホン酸とｐＨ１．５未満でカップリング反応を実施して、化合物（７）を生成させる。モノアゾ染料（７）を、ｐＨ３から６．５で第２のカップリング反応を実施することで、式（１）で表されるジスアゾ染料が得られる。次いで、アセトアセチル化ナフチルアミンの水溶液を添加して、一般式（２）で表される染料を生成させるためのカップリング反応をｐＨ１から６．５で行う。本発明の染料混合物は、常法にしたがって溶液から単離することができるが、その方法としてはたとえば、電解質塩たとえば塩化ナトリウムまたは塩化カリウムを用いた塩析や、噴霧乾燥法などがある。
【００１５】
ここで使用するアセトアセチル化したカップリング剤は、適当に置換したナフチルアミンを５〜２００％過剰のジケテンと、水溶液中で、０から６０℃、好ましくは３０〜５０℃、ｐＨが３から１１、好ましくはｐＨが４から８の条件で反応させることによって、容易に得ることができる。こうして得られたアセトアセチル化生成物を引き続き直接ジアゾカップリング反応に使用することもできるし、あるいは、常法の塩析または噴霧乾燥により単離することもできる。この反応溶液を直接使用する場合には、約８０℃に加熱することによって過剰のアシル化剤を除去することができる。
【００１６】
一般式（２）の染料で、アゾ部分が異なる構造を有するものを調製するには、好ましくは、次の構造を有する芳香族アミンをジアゾ化し、
Ｗ−ＮＨ２
（ここでＷは先に定義した通りである）、得られたジアゾ化合物を式（１０）のナフチルアミンとカップリングさせ、
【化３７】
2004517190.tif 000019
（ここで、Ｍ、Ｒ１１およびｎは先に定義した通りである）、上記で得られた中間体を、１，３ジケト部分で第２のジアゾとカップリングさせる。
【００１７】
発色団にたとえばβ−クロロエチルスルホニルまたはβ−チオスルファトエチルスルホニルまたはβ−スルファトエチルスルホニル基だけでなく、ビニルスルホニル基も部分的に含むような染料混合物は、適当なビニルスルホニル系のアニリン出発原料を使用する上記の方法だけでなく、Ｙがβ−クロロエチル、β−チオスルファトエチルまたはβ−スルファトエチルラジカルである染料混合物を、それらの基の一部だけに必要なアルカリの量と反応させて、その一部のβ−置換エチルスルホニル基をビニルスルホニル基に転換させる方法によっても調製することができる。この反応は、β−置換エチルスルホニル基をビニルスルホニル基に転換させる、一般に公知の方法で実施することができる。
【００１８】
本発明の染料混合物は、ヒドロキシル含有および／またはカルボキサミド含有繊維材料の染色（捺染を含む）に好適であるが、その染色では、繊維反応性染料に関して当業者によりくり返し記載されている適用法および固着法を用いると、優れたカラービルドアップ性および、染料の非固着部分についての良好な洗浄除去性を有するディープブラックな色調を呈する。さらに、この染色をすることにより、洗濯堅牢性の改善も認められる。
【００１９】
したがって本発明はまた、ヒドロキシル含有および／またはカルボキサミド含有繊維材料の染色（捺染を含む）のための本発明の染料混合物の使用を提供するとともに、そのような繊維材料を染色する方法、および、本発明による染料混合物を使用し、その染料を溶液の形で基材に適用して染色し、その染料混合物を繊維の上にアルカリまたは熱、またはそれら両方の作用によって固着させる方法も提供するものである。
【００２０】
ヒドロキシル含有材料としては、天然または合成のヒドロキシル含有材料があり、たとえば、セルロース繊維材料（紙の形または再生品を含む）およびポリビニルアルコールなどである。セルロース繊維材料は好ましくは綿であるが、その他の天然植物繊維、たとえば、リネン繊維、大麻繊維、ジュート繊維およびラミー繊維を使用することもできる。再生セルロース繊維としては、たとえば、ビスコースステープル繊維やビスコースフィラメント繊維などがある。
【００２１】
カルボキサミド含有材料としては、たとえば、合成および天然のポリアミドおよびポリウレタン、特に、繊維の形態のもの、たとえば羊毛その他の動物の毛、絹、皮革、ナイロン−６，６、ナイロン−６、ナイロン−１１およびナイロンー４などが挙げられる。
【００２２】
本発明の染料混合物の適用では、繊維反応性材料に対する公知の適用技術を使用し、繊維材料を染色および捺染するための一般に知られている方法による。本発明による染料混合物における染料は相互の間の混和性が高いので、有利なことに、本発明の染料混合物は吸尽染色プロセスに使用しても有用である。たとえばセルロースに対してこの方法を適用して、長浴比（ｌｏｎｇ  ｌｉｑｕｏｒ  ｒａｔｉｏ）で、４０〜１０５℃、任意に過圧下で１３０℃までの温度で、任意に慣用される染料助剤の存在下で、酸結合剤および任意に塩化ナトリウムまたは硫酸ナトリウムのような中性塩と共に用いると、非常に良好なカラーイールド（ｃｏｌｏｒ ｙｉｅｌｄ）で、優れたカラービルドアップ性および色むらのない（ｃｏｎｓｉｓｔｅｎｔ  ｓｈａｄｅ）染色をすることができる。一つの可能な方法としては、材料を温浴に浸漬し、浴を徐々に加熱して所望の染色温度にまで上げ、その温度で染色プロセスを仕上げる方法がある。染料の吸尽を加速する中性塩は、所望であれば、浴の温度が実際の染色温度に達するまでは添加しないでおくこともできる。
【００２３】
同様にして、セルロース繊維のための慣用の捺染法により、明瞭な輪郭および鮮明な白地を有する濃色の捺染物を得ることもできる。この方法は、１相（ｓｉｎｇｌｅ−ｐｈａｓｅ）、２相（ｔｗｏ  ｐｈａｓｅｓ）のいずれでも実施できるが、１相ではたとえば、重炭酸ナトリウムまたは他の酸結合剤を含む捺染糊により捺染し、次いで１００〜１０３℃で蒸熱処理するし、２相ではたとえば、着色料を含む中性または弱酸性の捺染糊により捺染し、次いで加熱した電解質含有アルカリ浴に捺染物を通すか、あるいは、アルカリ性の電解質含有パジング溶液でオーバーパジングし、次いでこの処理物をバッチングするか、または次いで蒸熱または乾熱処理により固着させる。固着条件を変えても、捺染物の外観にはほとんど影響はない。染色法だけでなく、捺染法でも、本発明の染料混合物によって得られる固着の程度は非常に高い。慣用の熱固着法により乾熱固着する際に使用される加熱空気の温度は、１２０〜２００℃である。常用される１０１〜１０３℃の水蒸気に加えて、１６０℃までの過熱水蒸気および高圧水蒸気を使用することも可能である。
【００２４】
セルロース繊維に染料を固着させるのに必要な酸結合剤としては、たとえば、無機または有機酸のアルカリ金属およびアルカリ土類金属の水溶性塩基性塩、それに、加熱したときにアルカリを放出する化合物などがある。特に好適なものとしては、弱から中程度の無機または有機酸の、アルカリ金属水酸化物およびアルカリ金属塩が挙げられるが、アルカリ金属化合物として好ましいのは、ナトリウムおよびカリウム化合物である。これらの酸結合剤の例を挙げれば、水酸化ナトリウム、水酸化カリウム、炭酸ナトリウム、重炭酸ナトリウム、炭酸カリウム、ギ酸ナトリウム、リン酸二水素ナトリウムおよびリン酸水素二ナトリウムなどである。
【００２５】
本発明による染料混合物の染料を酸結合剤と共に処理すると、加熱の有無に関わらず、その染料がセルロース繊維に化学的に結合される。特にセルロースを染色すると、通常の後処理であるすすぎを行って未固着の染料部分を除去した後では、優れた湿潤堅牢性を示すが、これは特に、それらの染料の冷水への溶解性が高いために未固着の染料部分が容易に洗い出されるからである。
【００２６】
ポリウレタンおよびポリアミド繊維の染色は通常、酸媒体により実施される。その染浴には、たとえば、酢酸および／または硫酸アンモニウムおよび／または酢酸および酢酸アンモニウムまたは酢酸ナトリウムを加えることができ、染浴を所望のｐＨに調整する。許容しうる均染性を得るために、慣用される均染助剤を添加するのが望ましい。均染剤としては、たとえば、塩化シアヌルと３倍モル量のアミノベンゼンスルホン酸またはアミノナフタレンスルホン酸との反応生成物に基づくもの、または、たとえばステアリルアミンとエチレンオキシドの反応生成物に基づくものなどがある。通常は、染色すべき材料を温度約４０℃の浴に浸漬し、その中でしばらく撹拌し、次いで染浴を所望の弱酸のｐＨ、好ましくは弱酢酸のｐＨに調節するが、実際の染色は６０〜９８℃の温度で実施される。しかしながらこの染色は、沸騰温度あるいは１２０℃までの温度（過圧下）で実施することも可能である。
【００２７】
以下に実施例により、本発明を説明する。部およびパーセントは、特に記さない限り、重量によるものである。重量部と容量部の関係は、キログラムとリットルの関係に相当する。
【００２８】
実施例１
１ａ）３１９部の６−アミノ−３，５−ジスルホ−１−ナフトールを１０００部の水に溶解させた中性の水溶液を、２５〜４５℃、ｐＨ５〜７に保ち、充分な撹拌をしながらこれに、１８６部のジケテンを添加し、この混合物をさらに約２時間、２５〜４５℃で撹拌を続ける。室温で、塩を添加してから濾過をすると、式（１−ａ）の生成物が単離される。
【化３８】
2004517190.tif 000020
【００２９】
１ｂ）別の反応容器で、５６２部の４−（β−スルファトエチルスルホニル）−アニリンを、１５００部の水に溶解した１３８部の亜硝酸ナトリウムと７００部の強度３１％の塩酸水溶液とを用いて、常法にしたがい、約７００部の氷を加えながら０℃でジアゾし、過剰の亜硝酸をアミドスルホン酸を用いて分解する。
【００３０】
１ｃ）実施例１ｂ）で得られたジアゾニウム塩懸濁液に、実施例１ａ）に記載した生成物を、激しく撹拌しながら添加する。このカップリング反応は、温度１５〜２０℃、ｐＨ２〜５で実施する。
【００３１】
カップリング反応が完結したら、次式の本発明によるジスアゾ化合物を単離する。
【００３２】
【化３９】
2004517190.tif 000021
【００３３】
このものは、繊維反応性染料として極めて良好な性質を有し、また、本明細書で挙げた繊維材料類、特に綿のようなセルロース繊維に対する染色性に良好で、堅牢性に優れたオレンジ色の色調を与え、また色調と色強度が染色温度の影響をほとんど受けない。
【００３４】
実施例２
２ａ）３４１部の２，５−ジメトキシ−４−（β−スルファトエチルスルホニル）−アニリンを、６９部の亜硝酸ナトリウムと３５０部の３１％塩酸水溶液を用いて、０℃で常法にしたがい、１０００部の水の中でジアゾ化する。
【００３５】
２ｂ）本発明によるジスアゾ化合物を調製するために、実施例１の手順をくり返すが、ただし、実施例１ｂ）に記載した生成物に代えて、化合物２ａ）を用いる。
【００３６】
それにより得られる本発明のジスアゾ化合物は、次式のものである。
【化４０】
2004517190.tif 000022
【００３７】
式（Ｒ）の化合物は、噴霧乾燥により単離する。このものは、繊維反応性染料として良好な性質を有し、本明細書で挙げた繊維材料類、特に綿のようなセルロース繊維を、堅牢性に優れたダルスカーレット色の色調に染色する。
【００３８】
実施例１および２に記載したのと類似の方法により、一般式（２）に相当する以下の染料を調製した：
【化４１】
2004517190.tif 000023
【化４２】
2004517190.tif 000024
【００３９】
実施例（Ｖ）〜（Ｙ）に記載した染料を調製するためのカップリング化合物は、実施例１ａと類似の方法により調製した。染料（Ｖ）〜（Ｙ）は、実施例１および２と類似の方法により調製した。
【化４３】
2004517190.tif 000025
【化４４】
2004517190.tif 000026
【００４０】
実施例３
式（Ａ）のネービー色染色用のジスアゾ染料を５０％の割合で含む電解質含有染料粉末の２００部を、
【化４５】
2004517190.tif 000027
式（Ｂ）のオレンジ色染色用の染料を５０％の割合で含む電解質含有染料粉末の７５部と混合する。
【化４６】
2004517190.tif 000028
【００４１】
こうして得られる本発明による染料混合物は、繊維反応性染料について当業者の慣用の適用および固着法により使用すると、たとえば、たとえばセルロース繊維材料の上にディープブラック色の色調の染色や捺染が得られる。
【００４２】
実施例４
４ａ）２８１部の４−（２−スルファトエチル）−スルホニル−アニリンを、重炭酸ナトリウムを添加してｐＨ６．８とした１０００部の水に溶解させる。６９部の亜硝酸ナトリウムをこれに加え、この溶液を、３００部の濃塩酸と５００部の氷の混合物中に、滴下により加える。得られた反応混合物にスルファミン酸を添加して、過剰の亜硝酸を分解させる。
【００４３】
４ｂ）３１９部の６−アミノ−３，５−ジスルホ−１−ナフトールを、２０％水酸化ナトリウム溶液を添加してｐＨを８とした１０００部の水に溶解させる。４０℃で、１６８部のジケテンを滴下により添加する。この混合物を１時間撹拌するが、ｐＨは４〜６に保つ。室温で、塩を添加し、次いで濾過をすることにより、生成物を単離する。
【００４４】
４ｃ）４ｂ）において単離した２０％のプレスケーキを、１０００部の水に懸濁させ、それに１１５部の３，６−ジスルホ−８−アミノ−１−ナフトールを添加する。硫酸でｐＨを約１に調節してから、４ａ）で合成したジアゾをこれに加える。３時間後に、１０％重炭酸ナトリウム溶液を添加しながらｐＨをゆっくりと６．５まで上げる。この溶液を噴霧乾燥にかけると、染料（Ａ）と（Ｂ）の比が約６：４の、特許請求される混合物が得られる。
【００４５】
実施例５
５ａ）３０３部の１，５−ジスルホ−２−ナフチルアミンを、実施例４ａ）の記載と同様にしてジアゾ化する。このジアゾ化合物を、６−アミノ−３，５−ジスルホ−１−ナフトールの中性溶液に添加する。反応混合物を、水酸化リチウム溶液を用いて中和する。このカップリング反応によって、化合物（Ｃ）の溶液が得られる：
【化４７】
2004517190.tif 000029
【００４６】
５ｂ）この化合物（Ｃ）の溶液を、４０℃で１２０部のジケテンで処理すると、Ｎ−アセトアセチル化反応物（Ｄ）が得られ、このものは昇温下真空中で乾燥させて単離する。
【化４８】
2004517190.tif 000030
【００４７】
５ｃ）１，３−ジアミノ−４−フェニルスルホン酸と２，４，６−トリフルオロピリミジンとからの縮合生成物の６０６部を、１４０ｇの亜硝酸ナトリウムと６００部の塩酸を使用して、４ａ）に記載の方法により、ジアゾ化する。６１１部の染料（７−３）と、
【化４９】
2004517190.tif 000031
５ｂ）に記載にしたがい得られた生成物とを１０００部の水に溶解させる。ｐＨ６〜７で、このジアゾをカップラー溶液にポンプ供給すると、染料（Ｅ）と（Ｆ）の１：１混合物が得られる：
【化５０】
2004517190.tif 000032
【００４８】
この反応混合物に、１５％の染料（Ａ）を加えると、ディープブラック色の染料混合物が得られる。
【００４９】
実施例６
実施例５で得られた混合物に、１０重量％の公知のレッド反応性染料（Ｇ）を加えると、赤味がかったディープブラック染料が、染色強度（ｄｙｅｉｎｇ  ｓｔｒｅｎｇｔｈ）８％で得られる。
【化５１】
2004517190.tif 000033
【００５０】
実施例７〜９９
実施例１〜４に記載の方法および、本明細書において言及した特許公報に記載の方法に従って調製し、表１に示した比率で互いに混合すると、洗濯堅牢性に優れしかも染色濃度（ｄｙｅｉｎｇ  ｄｅｐｔｈ）が８％を超える、ディープネービーからブラックの染料混合物が得られた。
【化５２】
2004517190.tif 000034
【化５３】
2004517190.tif 000035
【化５４】
2004517190.tif 000036
【化５５】
2004517190.tif 000037
【００５１】
【表１】
2004517190.tif 000038
【００５２】
【表２】
2004517190.tif 000039
【００５３】
【表３】
2004517190.tif 000040
【００５４】
【表４】
2004517190.tif 000041
【００５５】
実施例１０６〜１１３
実施例（６）に記載したのと同様の方法で、以下の染料混合物を表２に示した比率で調製すると、洗濯堅牢性に優れしかも染色濃度が８％を超える、ディープネービーからブラックの染料が得られた。
【００５６】
【表５】
2004517190.tif 000042
【国際公開パンフレット】
2004517190.tif 000065
2004517190.tif 000066
2004517190.tif 000067
2004517190.tif 000068
2004517190.tif 000069
2004517190.tif 000070
2004517190.tif 000071
2004517190.tif 000072
2004517190.tif 000073
2004517190.tif 000074
2004517190.tif 000075
2004517190.tif 000076
2004517190.tif 000077
2004517190.tif 000078
2004517190.tif 000079
2004517190.tif 000080
2004517190.tif 000081
2004517190.tif 000082
2004517190.tif 000083
2004517190.tif 000084
2004517190.tif 000085
2004517190.tif 000086
2004517190.tif 000087
2004517190.tif 000088
2004517190.tif 000089
2004517190.tif 000090
2004517190.tif 000091
2004517190.tif 000092
2004517190.tif 000093
2004517190.tif 000094
2004517190.tif 000095
2004517190.tif 000096
2004517190.tif 000097
2004517190.tif 000098
2004517190.tif 000099
2004517190.tif 000100
2004517190.tif 000101
2004517190.tif 000102
2004517190.tif 000103
2004517190.tif 000104
2004517190.tif 000105
2004517190.tif 000106
2004517190.tif 000107
2004517190.tif 000108
2004517190.tif 000109
2004517190.tif 000110
2004517190.tif 000111
【国際公開パンフレット（コレクトバージョン）】
2004517190.tif 000112
2004517190.tif 000113
【国際調査報告】
2004517190.tif 000114
2004517190.tif 000115
2004517190.tif 000116